(57)【要約】【課題】本発明は、施錠完了後の本体ケースに対する扉状部材のガタを無くし、遊技機の防犯機能を向上させることを目的とする。【解決手段】本発明は、前面開口を備える本体ケースと、水平回動することで本体ケースの前面開口を開閉可能に構成された扉状部材とを備える遊技機の施錠装置であって、扉状部材に設けられた車状回転体４９と、扉状部材が閉じられる過程でその車状回転体４９の回転を許容して逆転を禁止し、解錠時に逆転禁止状態を解除できる逆転禁止機構４３と、本体ケースに設けられ、扉状部材が閉じられる過程で車状回転体４９が沿って転動できるように構成されたガイド面２５ｆを備える回転体受け部材２４を有しており、車状回転体４９の外周面と回転体受け部材２４のガイド面２５ｆとは、その車状回転体４９の接線方向において係合するように構成されている。【選択図】図５
2013192768.tif 000002
【特許請求の範囲】
【請求項１】
前面開口を備える本体ケースと、水平回動することで前記本体ケースの前面開口を開閉可能に構成された扉状部材とを備える遊技機において、前記扉状部材と前記本体ケース間の施錠を行う遊技機の施錠装置であって、
前記本体ケース、又は前記扉状部材のいずれか一方に設けられた車状回転体と、前記扉状部材が閉じられる過程でその車状回転体の回転を許容して逆転を禁止し、解錠時に逆転禁止状態を解除できる逆転禁止機構と、
前記本体ケース、又は前記扉状部材のいずれか他方に設けられ、前記扉状部材が閉じられる過程で前記車状回転体が沿って転動できるように構成されたガイド面を備える回転体受け部材を有しており、
前記車状回転体の外周面と前記回転体受け部材のガイド面とは、その車状回転体の接線方向において係合するように構成されていることを特徴とする遊技機の施錠装置。
【請求項２】
請求項１に記載された遊技機の施錠装置であって、
前記車状回転体は、外周面に歯が形成された平歯車であり、
前記回転体受け部材のガイド面には、前記車状回転体の歯が噛合する歯が形成されていることを特徴とする遊技機の施錠装置。
【請求項３】
請求項１又は請求項２のいずれかに記載された遊技機の施錠装置であって、
前記車状回転体と逆転禁止機構とは扉状部材に設けられており、
前記回転体受け部材が本体ケースに設けられていることを特徴とする遊技機の施錠装置。
【請求項４】
請求項１から請求項３のいずれかに記載された遊技機の施錠装置であって、
前記扉状部材には、上部と下部とにそれぞれ前記車状回転体と逆転禁止機構とが設けられており、
前記本体ケースには、上部と下部とにそれぞれ前記回転体受け部材が設けられていることを特徴とする遊技機の施錠装置。
【請求項５】
請求項１から請求項３のいずれかに記載された遊技機の施錠装置であって、
前記本体ケースには、爪受け部材が前記回転体受け部材と共に設けられており、
前記扉状部材には、前記本体ケースに対してその扉状部材が閉じられる過程で前記爪受け部材に係合する鉤爪が前記車状回転体、及び逆転禁止機構と共に設けられていることを特徴とする遊技機の施錠装置。
【発明の詳細な説明】
【技術分野】
【０００１】
本発明は、前面開口を備える本体ケースと、水平回動することで前記本体ケースの前面開口を開閉可能に構成された扉状部材とを備える遊技機において、前記扉状部材と前記本体ケース間の施錠を行う遊技機の施錠装置に関する。
【背景技術】
【０００２】
これに関する一般的な遊技機の施錠装置の技術が特許文献１に記載されている。
特許文献１の施錠装置は、パチンコ機の遊技面を備える表枠と、その表枠の遊技面を覆うガラス枠との間で施錠を行う施錠装置である。この施錠装置１００は、図１０（Ａ）（Ｂ）に示すように、表枠に設けられた係合爪１０１と、ガラス枠に設けられ、表枠の係合爪１０１が掛けられるように構成された爪受け金具１０３とを備えている。爪受け金具１０３は、側面Ｌ字形の鉤状に形成されており、その爪受け金具１０３の縦鉤板部１０３ｔに前記係合爪１０１が上から掛けられるようになっている。
前記係合爪１０１は、表枠の固定基板１０４に対して上下回動可能な状態で連結された側面逆Ｌ字形の平板であり、先端下側に爪受け金具１０３の縦鉤板部１０３ｔが係合する角形の切欠き１０１ｃが形成されている。さらに、前記係合爪１０１の下側先端（切欠き１０１ｃより先側）には、ガラス枠を閉じる際に、そのガラス枠の爪受け金具１０３の縦鉤板部１０３ｔが当接する傾斜面１０１ｋが形成されている。また、表枠には、係合爪１０１を施錠位置（左回動限位置）に保持するコイルバネ１０５が設けられている。また、係合爪１０１には、その係合爪１０１をコイルバネ１０５のバネ力に抗して右回動させる解錠レバー１０６が連結されている。
【０００３】
上記した施錠装置において、ガラス枠の施錠を行う場合には、表枠に対してそのガラス枠を閉じる。これにより、図１０（Ａ）に示すように、ガラス枠を閉じる過程で爪受け金具１０３の縦鉤板部１０３ｔが係合爪１０１の傾斜面１０１ｋに当接し、その傾斜面１０１ｋに対して摺動する。これにより、係合爪１０１がコイルバネ１０５のバネ力に抗して右回動する。そして、ガラス枠が完全に閉じられて、爪受け金具１０３の縦鉤板部１０３ｔが係合爪１０１の傾斜面１０１ｋから切欠き１０１ｃに到達した段階で、係合爪１０１がコイルバネ１０５のバネ力で左回動する。これにより、図１０（Ｂ）に示すように、爪受け金具１０３の縦鉤板部１０３ｔと係合爪１０１の切欠き１０１ｃとが係合して、ガラス枠の施錠が行われる。また、ガラス枠の解錠を行う場合には、シリンダ錠（図示省略）をキー操作して解錠レバー１０６を引き下げ、係合爪１０１をコイルバネ１０５のバネ力に抗して右回動させる。これにより、爪受け金具１０３の縦鉤板部１０３ｔと係合爪１０１の切欠き１０１ｃとの係合を解除できるようになる。
【先行技術文献】
【特許文献】
【０００４】
【特許文献１】特開２００４−１９４８１１号公報
【発明の概要】
【発明が解決しようとする課題】
【０００５】
上記した施錠装置では、ガラス枠の爪受け金具１０３の縦鉤板部１０３ｔと表枠の係合爪１０１の切欠き１０１ｃとを係合させて、前記ガラス枠の施錠を行う構成である。
前記施錠装置では、施錠、及び解錠をスムーズに行うために、図１０（Ｂ）に示すように、ガラス枠の爪受け金具１０３の縦鉤板部１０３ｔの厚み寸法に対して、係合爪１０１の切欠き１０１ｃの幅寸法を大きく設定している。即ち、ガラス枠の爪受け金具１０３の縦鉤板部１０３ｔと表枠の係合爪１０１の切欠き１０１ｃとが係合した状態で、爪受け金具１０３の縦鉤板部１０３ｔと係合爪１０１の切欠き１０１ｃの壁面との間には隙間Ｘが形成される。
このため、ガラス枠の施錠完了後、そのガラス枠を閉じ方向に押圧すると、前記ガラス枠は寸法Ｘだけ表枠側に移動するようになる。即ち、ガラス枠の施錠完了後、ガラス枠は表枠に対して寸法Ｘ分だけガタツクようになる。また、ガラス枠と表枠間に寸法Ｘの隙間が生じるため、針金等の不正操作部材をガラス枠と表枠間に差し込むことが可能になる。
【０００６】
本発明は、上記問題点を解決するためになされたものであり、本発明が解決しようとする課題は、施錠完了後の本体ケースに対する扉状部材のガタを無くし、遊技機の防犯機能を向上させることである。
【課題を解決するための手段】
【０００７】
上記した課題は、各請求項の発明によって解決される。
請求項１の発明は、前面開口を備える本体ケースと、水平回動することで前記本体ケースの前面開口を開閉可能に構成された扉状部材とを備える遊技機において、前記扉状部材と前記本体ケース間の施錠を行う遊技機の施錠装置であって、前記本体ケース、又は前記扉状部材のいずれか一方に設けられた車状回転体と、前記扉状部材が閉じられる過程でその車状回転体の回転を許容して逆転を禁止し、解錠時に逆転禁止状態を解除できる逆転禁止機構と、前記本体ケース、又は前記扉状部材のいずれか他方に設けられ、前記扉状部材が閉じられる過程で前記車状回転体が沿って転動できるように構成されたガイド面を備える回転体受け部材を有しており、前記車状回転体の外周面と前記回転体受け部材のガイド面とは、その車状回転体の接線方向において係合するように構成されていることを特徴とする。
【０００８】
本発明によると、本体ケースに対して扉状部材が閉じられる過程で、車状回転体が回転体受け部材のガイド面に沿って転動する。このとき、逆転禁止機構の働きで前記車状回転体の逆転が禁止される。さらに、車状回転体の外周面と回転体受け部材のガイド面とは、その車状回転体の接線方向において係合するように構成されている。
このため、扉状部材が本体ケースの前面開口を完全に閉鎖した状態で、車状回転体の外周面と回転体受け部材のガイド面との働きにより、その扉状部材の施錠が行われるようになる。
さらに、逆転禁止機構に働きにより、施錠完了後に扉状部材が本体ケースに対して開方向に戻るようなことがないため、本体ケースに対する扉状部材のガタが無くなる。これにより、本体ケースと扉状部材間に針金等の不正操作部材を差し込めなくなり、遊技機の防犯機能が向上する。
【０００９】
請求項２の発明によると、車状回転体は、外周面に歯が形成された平歯車であり、回転体受け部材のガイド面には、前記車状回転体の歯が噛合する歯が形成されていることを特徴とする。
このため、車状回転体の外周面と回転体受け部材のガイド面とが、その車状回転体の接線方向において確実に係合するようになる。
【００１０】
請求項３の発明によると、車状回転体と逆転禁止機構とは扉状部材に設けられており、回転体受け部材が本体ケースに設けられていることを特徴とする。
請求項４の発明によると、扉状部材には、上部と下部とにそれぞれ車状回転体と逆転禁止機構とが設けられており、本体ケースには、上部と下部とにそれぞれ前記回転体受け部材が設けられていることを特徴とする。
このため、本体ケースに対して扉状部材をバランス良く施錠できるようになる。
【００１１】
請求項５の発明によると、本体ケースには、爪受け部材が前記回転体受け部材と共に設けられており、扉状部材には、前記本体ケースに対してその扉状部材が閉じられる過程で前記爪受け部材に係合する鉤爪が前記車状回転体、及び逆転禁止機構と共に設けられていることを特徴とする。
即ち、車状回転体と逆転禁止機構と回転体受け部材とからなる施錠機構と、鉤爪と爪受け部材とからなる施錠機構とが組み合わされることで、施錠装置の信頼性が向上する。
【発明の効果】
【００１２】
本発明によると、施錠完了後の扉状部材のガタを無くせるため、扉状部材と本体ケース間に針金等の不正操作部材を差し込めなくなり、遊技機の防犯機能が向上する。
【図面の簡単な説明】
【００１３】
【図１】本発明の実施形態１に係る施錠装置を備える遊技機（スロットマシン）の前面扉を開放したときの施錠装置を表す斜視図である。
【図２】前記遊技機の本体ケースの施錠装置（回転体受け部材）を表す斜視図である。
【図３】本発明の実施形態１に係る遊技機の施錠装置の施錠状態を表す全体斜視図である。
【図４】前記遊技機の施錠装置の解錠状態を表す全体斜視図である。
【図５】図４のV拡大斜視図である。
【図６】前記遊技機の施錠装置の動作原理を表す側面図である。
【図７】前記遊技機の施錠装置におけるシリンダ錠回りの斜視図である。
【図８】本発明の実施形態２に係る遊技機の施錠装置の解錠状態を表す全体斜視図である。
【図９】図８のIX矢視拡大図である。
【図１０】従来のパチンコ機の施錠装置における施錠動作を表す側面図（Ａ図、Ｂ図）である。
【発明を実施するための形態】
【００１４】
［実施形態１］
以下、図１から図７に基づいて本発明の実施形態１に係る遊技機の施錠装置について説明する。本実施形態はスロットマシンの本体ケースに対する前面扉の施錠装置であり、図中の前後左右、及び上下は、遊技者側から見た前記スロットマシンの前後左右、及び上下に対応している。
【００１５】
＜スロットマシン１０の概要について＞
本実施形態に係る施錠装置について説明する前に、先ず、スロットマシン１０の概要について説明する。
スロットマシン１０は、図１に示すように、前面開放型の本体ケース１２を備えており、その本体ケース１２の前面開口１２ｈが前面扉１５によって開閉できるように構成されている。前面扉１５には、表面側にリール図柄等を表示する遊技パネル部と、その遊技パネル部を見ながら遊技者が操作する複数のスイッチ類と、メダル投入口、メダル排出口等が設けられている。
前面扉１５は、その前面扉１５の左端部がヒンジ機構（図示省略）によって水平回動可能な状態で前記本体ケース１２の左壁に連結されている。そして、前面扉１５の右端側（回動自由端側）と本体ケース１２の右端側とに施錠装置２０が取付けられている。
即ち、前面扉１５が本発明の扉状部材に相当する。
施錠装置２０は、図１、図２等に示すように、前面扉１５の右端裏側に取付けられた装置本体部３０と、本体ケース１２の前面開口１２ｈの右内壁面に取付けられた上下の回転体受け部材２４とから構成されている。
【００１６】
＜施錠装置２０の装置本体部３０について＞
施錠装置２０の装置本体部３０は、図３、図４等に示すように、その装置本体部３０を前面扉１５の裏面に取付けるための固定基板３２を備えている。固定基板３２は上下方向に長い断面略Ｕ字形のレール状部材であり、左右の壁部３２ｆ，３２ｒと底板部３２ｂとを備えている。そして、固定基板３２の底板部３２ｂが前面扉１５の裏面にネジ止め等により固定される。また、固定基板３２の底板部３２ｂには、図４等に示すように、その固定基板３２の中央下寄りの位置にシリンダ錠３４が前方に突出するように取付けられている。シリンダ錠３４は、施錠装置２０の解錠に使用される錠であり、そのシリンダ錠３４の先端部が前面扉１５の表面側に到達できるように構成されている。そして、前面扉１５の表面側からキー操作によりシリンダ錠３４の解錠動作が可能に構成されている。
また、前記固定基板３２の左壁部３２ｆには、その左壁部３２ｆの上部と、シリンダ錠３４よりも下側に位置する左壁部３２ｆの下部とにそれぞれ施錠ボックス４０が固定されている。
【００１７】
＜施錠ボックス４０について＞
施錠ボックス４０は、図３、図４等に示すように、本体ケース１２の回転体受け部材２４に嵌め込まれて、後記するように、その回転体受け部材２４に連結される部分である。上下の施錠ボックス４０は等しい構成であり、その施錠ボックス４０の内部構成が、図５、図６等に示されている。
施錠ボックス４０は、ボックス部４１と、そのボックス部４１内に収納されたラチェット機構４３と、平歯車４９とから構成されている。ボックス部４１は、平歯車４９とラチェット機構４３とを立てた状態で左右両側から挟んで支持する扁平な角形の箱状体であり、左壁板部４１ｆと右壁板部４１ｒとが左右両側から合わせられることで、前面、後面、及び下面が開放された状態で形成される。
なお、図５、図６では、施錠ボックス４０の構成を分かり易くするため、前記ボックス部４１の右壁板部４１ｒ等が省略されている。また、図５、図６では、平歯車４９等の歯を誇張して大きく記載しているが、実際には歯はもっと細かく形成されている。
【００１８】
前記ボックス部４１の下部には平歯車４９が、その平歯車４９の回転中心軸４９ｃを左壁板部４１ｆと右壁板部４１ｒとに水平に支持された状態で収納されている。そして、平歯車４９がボックス部４１に収納された状態で、その平歯車４９の下部がボックス部４１の下端から突出するように構成されている（図７等参照）。
前記ボックス部４１には、平歯車４９よりも上の位置にラチェット機構４３が収納されている。ラチェット機構４３は、平歯車４９の施錠方向の回転（図５等における左回転）を許容し、逆転（右回転）を禁止する機構である。
ラチェット機構４３は、図５、図６に示すように、鋸刃状の歯を備える非対称歯車４４と、その非対称歯車４４の右回転を許容し、左回転を禁止する爪部材４５と、その爪部材４５を非対称歯車４４に押し付ける板バネ４６とから構成されている。非対称歯車４４は、その非対称歯車４４の回転中心軸４４ｃがボックス部４１の左壁板部４１ｆと右壁板部４１ｒとに水平に支持されており、その回転中心軸４４ｃの回りに小径平歯車４４ｘが一体化されている。そして、非対称歯車４４の小径平歯車４４ｘが平歯車４９と噛合している。これにより、平歯車４９が左回転すると減速された状態で非対称歯車４４が右回転するようになる。
【００１９】
ラチェット機構４３の爪部材４５は、基端部に回転中心軸４５ｃを備える横レバー部４５ｙと、その横レバー部４５ｙの中央下側に設けられた爪本体４５ｋとを備えている。そして、横レバー部４５ｙの回転中心軸４５ｃが非対称歯車４４の後上方でボックス部４１の左壁板部４１ｆと右壁板部４１ｒとに水平に支持されている。横レバー部４５ｙの爪本体４５ｋは、図６に示すように、その横レバー部４５ｙがほぼ水平に保持された状態で、非対称歯車４４と噛合するように構成されている。また、横レバー部４５ｙの基端部には角形のバネ受け部４５ｕが形成されており、そのバネ受け部４５ｕが板バネ４６に押圧されることで、横レバー部４５ｙはほぼ水平に保持される。即ち、爪本体４５ｋは板バネ４６のバネ力で非対称歯車４４と噛合するようになる。そして、爪本体４５ｋと非対称歯車４４とが噛合している状態で、非対称歯車４４が順方向（右方向）の回転力を受けると、爪本体４５ｋは板バネ４６のバネ力に抗して半径方向外側に押し出され、非対称歯車４４は順方向（右方向）に回転できるようになる。また、爪本体４５ｋと非対称歯車４４とが噛合している状態で、非対称歯車４４が逆方向（左方向）の回転力を受けると、爪本体４５ｋは板バネ４６のバネ力で非対称歯車４４と深く係合し、非対称歯車４４の逆方向（左方向）の回転が禁止される。
また、爪部材４５の横レバー部４５ｙの先端部には、図６に示すように、連結ピン４５ｆが設けられており、その連結ピン４５ｆが、後記するように、解錠用の可動錠板３７の縦長穴３７ｅに連結されている。
【００２０】
＜可動錠板３７等について＞
解錠用の可動錠板３７は、固定基板３２に沿って上下動できるように構成された帯状の板材であり、シリンダ錠３４の解錠方向の回転力を上下の施錠ボックス４０の爪部材４５（横レバー部４５ｙ）に伝達する。
可動錠板３７は、バネ（図示省略）のバネ力で下限位置（施錠位置）に保持されている。さらに、可動錠板３７には、図６に示すように、爪部材４５の横レバー部４５ｙに対応する位置に縦長穴３７ｅが形成されており、その縦長穴３７ｅに、上記したように、横レバー部４５ｙの先端部に形成された連結ピン４５ｆが通されるようになっている。そして、前記縦長穴３７ｅにより、可動錠板３７が下限位置（施錠位置）にある状態で、非対称歯車４４が順方向（右方向）に回転する際の横レバー部４５ｙの先端部（連結ピン４５ｆ）の上下動が吸収されるようになっている。
即ち、可動錠板３７が下限位置（施錠位置）にある状態では、非対称歯車４４の順方向（右方向）の回転は許容されるが、逆方向（左方向）の回転は禁止される。これにより、非対称歯車４４の小径平歯車４４ｘと噛合している平歯車４９は、施錠方向（左方向）の回転が許容され、解錠方向（右方向）の回転は禁止される。
【００２１】
前記可動錠板３７には、図７に示すように、シリンダ錠３４に対応する位置に、側面台形状に曲げられた折り曲げ部３７ｄが形成されており、その折り曲げ部３７ｄの中央位置にシリンダ錠３４の回転鉤板３５の爪３５ｋが下方から係合可能な角形開口３７ｈが形成されている。このため、シリンダ錠３４の回転鉤板３５が解錠時に図６において左回転すると、その回転鉤板３５の爪３５ｋにより可動錠板３７が前記バネのバネ力に抗して下限位置（施錠位置）から押上げられる。これにより、上下の施錠ボックス４０の爪部材４５（横レバー部４５ｙ）が押上げられて、その爪部材４５の横レバー部４５ｙが板バネ４６のバネ力に抗し、図６において左回動する。この結果、横レバー部４５ｙの爪本体４５ｋが非対称歯車４４から外れ、非対称歯車４４が順方向（右方向）と逆方向（左方向）との双方に回転が可能となる。したがって、非対称歯車４４の小径平歯車４４ｘと噛合している平歯車４９の解錠方向（右方向）の回転が許容される。
このように、前記平歯車４９が本発明の車状回転体に相当し、前記ラチェット機構４３が本発明の逆転防止機構に相当する。
【００２２】
＜本体ケース１２の回転体受け部材２４について＞
本体ケース１２に設けられた回転体受け部材２４は、図３、図４等に示すように、装置本体部３０の施錠ボックス４０が嵌め込まれた状態で連結される部分である。
回転体受け部材２４は、図５等に示すように、前面扉１５が閉じられる過程で施錠ボックス４０の平歯車４９を下方から受けるガイドブロック２５と、そのガイドブロック２５を支持した状態で本体ケース１２の右側内壁面に固定される帯状の固定縦金具２７とから構成されている。
回転体受け部材２４の固定縦金具２７は、その固定縦金具２７の下部が側面コ字形に折り曲げられて棚部２７ｚが形成されており、その棚部２７ｚの位置にガイドブロック２５が取付けられるようになっている。また、固定縦金具２７の上端部は水平に折り曲げられており、この折り曲げられた部位が施錠ボックス４０を上から押さえるボックス押さえ部２７ｗとなっている。
【００２３】
ガイドブロック２５には、そのガイドブロック２５の下側に固定縦金具２７の棚部２７ｚと嵌合する段部２５ｄが形成されている。これにより、ガイドブロック２５は、固定縦金具２７に対して定位置に位置決めされる。さらに、ガイドブロック２５の上面には、前面扉１５が閉じられる過程で施錠ボックス４０の平歯車４９が沿うように転動するガイド面２５ｆが形成されている。ガイド面２５ｆは、図５、図６等に示すように、前面扉１５が閉じられる過程で前記平歯車４９を持ち上げられるように形成された傾斜面と、その傾斜面に連続する平面とから構成されている。そして、そのガイド面２５ｆに平歯車４９の歯４９ｅが噛合する平歯２５ｅが幅方向に延びるように形成されている。
【００２４】
＜スロットマシン１０の施錠装置２０の動作について＞
次に、スロットマシン１０の施錠装置２０の動作について説明する。
前記施錠装置２０を施錠する場合には、前面扉１５を閉方向に回動させる。これにより、前面扉１５の全閉位置の近傍で、その前面扉１５の右端裏側に取付けられた装置本体部３０の上下の施錠ボックス４０が本体ケース１２の右側内壁面に取付けられた上下の回転体受け部材２４に嵌め込まれるようになる。即ち、図５に示す状態から、先ず、前面扉１５側の施錠ボックス４０の平歯車４９が本体ケース１２側の回転体受け部材２４のガイドブロック２５に設けられたガイド面２５ｆの傾斜面に当接する。そして、前面扉１５を閉じる力によって施錠ボックス４０の平歯車４９がガイドブロック２５のガイド面２５ｆの平歯２５ｅと噛合して施錠方向（図５において左方向）に回転し、図６に示すように、ガイドブロック２５のガイド面２５ｆ上に乗り上がるようになる。
【００２５】
このとき、小径平歯車４４ｘを介して平歯車４９と噛合しているラチェット機構４３の非対称歯車４４が順方向（右方向）に回転することで、ラチェット機構４３が平歯車４９の施錠方向（左方向）の回転を妨げることがない。しかし、前記ラチェット機構４３の働きで平歯車４９の逆方向（解錠方向（右方向））の回転は禁止される。
また、この状態で、装置本体部３０の可動錠板３７はバネ力で下限位置（施錠位置）に保持されており、非対称歯車４４の順方向（右方向）の回転によるラチェット機構４３の横レバー部４５ｙの上下動が可動錠板３７の縦長穴３７ｅの部分で吸収される。
そして、前面扉１５を閉じ切った状態で、施錠ボックス４０の平歯車４９の施錠方向（左方向）の回転が禁止される。即ち、施錠ボックス４０の平歯車４９は施錠方向（左方向）と解錠方向（右方向）の回転が禁止される。さらに、前記施錠ボックス４０の平歯車４９と回転体受け部材２４のガイドブロック２５の平歯２５ｅとの噛合により、前記平歯車４９とガイドブロック２５のガイド面２５ｆとがその平歯車４９の接線方向において係合するようになる。これにより、前面扉１５の施錠が行われる。
このとき、施錠ボックス４０の上面は回転体受け部材２４のボックス押さえ部２７ｗによって押さえられているため、外力を受けても平歯車４９がガイドブロック２５の平歯２５ｅに対して浮き上がるようなことがない。
【００２６】
次に、前面扉１５の解錠を行う場合には、前面扉１５の表面側からキー操作によりシリンダ錠３４を解錠方向に動作させる。これにより、シリンダ錠３４の回転鉤板３５が図７において左回転し、その回転鉤板３５の爪３５ｋにより可動錠板３７がバネ力に抗して下限位置（施錠位置）から押上げられる。この結果、上下の施錠ボックス４０の爪部材４５（横レバー部４５ｙ）が押上げられて、横レバー部４５ｙの爪本体４５ｋが非対称歯車４４から外れ、非対称歯車４４が逆方向（左方向）に回転可能となる。したがって、非対称歯車４４の小径平歯車４４ｘと噛合している平歯車４９の解錠方向（右方向）の回転が許容されて、前面扉１５の解錠が行われる。
【００２７】
＜施錠装置２０の長所について＞
本実施形態に係る施錠装置２０によると、本体ケース１２に対して前面扉１５（扉状部材）が閉じられる過程で、施錠ボックス４０の平歯車４９（車状回転体）が回転体受け部材２４のガイド面２５ｆ（平歯２５ｅ）に沿って転動する。このとき、ラチェット機構４３の働きで前記平歯車４９の逆転が禁止される。さらに、前記平歯車４９の外周面と回転体受け部材２４のガイド面２５ｆの平歯２５ｅとは、その平歯車４９の接線方向において係合するように構成されている。
このため、前面扉１５が本体ケース１２の前面開口１２ｈを完全に閉鎖した状態で、施錠ボックス４０の平歯車４９と回転体受け部材２４のガイド面２５ｆの平歯２５ｅとの働きで、自動的にその前面扉１５の施錠が行われるようになる。
さらに、ラチェット機構４３に働きにより、施錠完了後に前面扉１５が本体ケース１２に対して開方向に戻るようなことがないため、本体ケース１２に対する前面扉１５のガタが無くなる。これにより、本体ケース１２と前面扉１５間に針金等の不正操作部材を差し込めなくなり、スロットマシン１０の防犯機能が向上する。
【００２８】
また、施錠ボックス４０の平歯車４９（車状回転体）と回転体受け部材２４のガイド面２５ｆの平歯２５ｅとを噛合させる構成のため、平歯車４９（車状回転体）の外周面と回転体受け部材２４のガイド面２５ｆの平歯２５ｅとが、その平歯車４９の接線方向において確実に係合するようになる。
また、前面扉１５には、上部と下部とにそれぞれ施錠ボックス４０が設けられており、本体ケース１２には、上部と下部とにそれぞれ回転体受け部材２４が設けられているため、本体ケース１２に対して前面扉１５をバランス良く施錠できるようになる。
【００２９】
［実施形態２］
以下、図８、図９に基づいて本発明の実施形態２に係るスロットマシン１０の施錠装置について説明する。
本実施形態に係る施錠装置５０は、実施形態１の施錠装置２０とほぼ等しい構成の施錠機構を中央に備えており、鉤爪５１等からなる従来の施錠機構を上下に備えている。ここで、実施形態１に係る施錠装置２０と同じ部材については同じ符号を付して説明を省略する。
【００３０】
＜施錠装置５０の装置本体部５０ａについて＞
施錠装置５０の装置本体部５０ａは、図８に示すように、前面扉１５の裏面に取付けられる固定基板３２を備えており、その固定基板３２の上部と下部とに鉤爪５１が連結ピン５１ｃにより上下回動可能な状態で連結されている。また、固定基板３２の中央に設けられた平板部３２ｆには、平歯車４９とラチェット機構４３とが設けられている。さらに、固定基板３２には、平板部３２ｆの下方に浮き上がり防止用の突起部３２ｘが形成が形成されている。
また、固定基板３２には、解錠用の可動錠板３７がその固定基板３２に沿って上下動できるように構成されており、その可動錠板３７の上端部と下端部とが、それぞれ上下の鉤爪５１の基端部を押し上げられるように構成されている。そして、可動錠板３７の中央部が縦長穴３７ｅを介してラチェット機構４３の爪部材４５を構成する横レバー部４５ｙの先端と連結されている。
【００３１】
上下の鉤爪５１は、鉤爪用バネ（図示省略）のバネ力を受けて、ほぼ水平な施錠位置に保持されている。そして、前記可動錠板３７が解錠時にシリンダ錠３４の回転鉤板３５によって施錠位置からバネ力に抗して押上げられることで、上下の鉤爪５１は、鉤爪用バネのバネ力に抗して図８において左回動（先端が下がる方向に回動）するようになる。
また、上下の鉤爪５１は、それらの鉤爪５１の先端側が外力により押し下げられることで、前記可動錠板３７が施錠位置にある状態であっても左回動が可能なように構成されている。
さらに、上下の鉤爪５１の先端には、前面扉１５が閉じられる際に、本体ケース１２側の設けられた爪受け金具５３（後記する）の下端エッジが当接する傾斜面５１ｓが形成されている。さらに、鉤爪５１の中央位置には上側が開放された角形の切欠き５１ｋが形成されており、この切欠き５１ｋに爪受け金具５３が係合できるように構成されている。
【００３２】
＜施錠装置５０の受け部５０ｂについて＞
本体ケース１２側には、施錠装置５０の装置本体部５０ａが連結される受け部５０ｂが取付けられている。
施錠装置５０の受け部５０ｂは、本体ケース１２に固定される固定錠板３３が設けられている。そして、固定錠板３３の上部と下部とに装置本体部５０ａの上下の鉤爪５１が下から掛けられる爪受け金具５３が設けられている。上下の爪受け金具５３は角板状に形成されており、その爪受け金具５３の下端エッジ部が鉤爪５１の傾斜面５１ｓに当接可能となるように高さ位置が調整されている。
また、固定錠板３３のほぼ中央側面には、図９に示すように、装置本体部５０ａの平歯車４９に対応する位置に、断面略コ字形に成形された支持金具３３ｋが固定されている。そして、その支持金具３３ｋ上にガイドブロック２５が取付けられている。前記支持金具３３ｋには、前面扉１５が閉じられる過程で固定基板３２の浮き上がり防止用の突起部３２ｘが下方から掛けられるように構成されている。これにより、ガイドブロック２５の平歯２５ｅに対する装置本体部５０ａの平歯車４９の浮き上がりを防止できるようになる。
【００３３】
＜スロットマシン１０の施錠装置５０の動作について＞
次に、スロットマシン１０の施錠装置５０の動作について説明する。
前記施錠装置５０を施錠する場合には、前面扉１５を閉方向に回動させる。これにより、前面扉１５の全閉位置の近傍で、装置本体部５０ａに設けられた上下の鉤爪５１の傾斜面５１ｓが本体ケース１２の上下の爪受け金具５３の下端エッジ部に当接する。そして、前面扉１５を閉じる力で、鉤爪５１の傾斜面５１ｓと爪受け金具５３の下端エッジ部とが摺動し、鉤爪５１が鉤爪用バネのバネ力に抗して下方に回動（図８において左回動）するようになる。そして、前面扉１５が完全に閉じられた状態で、爪受け金具５３の下端エッジ部が鉤爪５１の傾斜面５１ｓから外れ、切欠き５１ｋの位置に到達する。これにより、上下の鉤爪５１が鉤爪用バネのバネ力を受けて水平位置まで上方に回動（図８において右回動）し、上下の爪受け金具５３に下から掛けられるようになる。即ち、施錠装置５０の施錠が行われる。
また、前面扉１５の全閉位置の近傍で、その前面扉１５の固定基板３２の浮き上がり防止用の突起部３２ｘが本体ケース１２の固定錠板３３の支持金具３３ｋの下方に配置される。そして、実施形態１で説明したように、装置本体部５０ａの平歯車４９が、図９に示すように、ガイドブロック２５のガイド面２５ｆの平歯２５ｅと噛合して施錠が行われる。このとき、装置本体部５０ａの平歯車４９がガイドブロック２５の平歯２５ｅに対して浮き上がろうとすると、本体ケース１２の固定錠板３３の支持金具３３ｋに前面扉１５の固定基板３２の突起部３２ｘが下方から掛かるようになる。これにより、ガイドブロック２５の平歯２５ｅに対して装置本体部５０ａの平歯車４９が浮き上がらなくなる。
【００３４】
次に、前面扉１５の解錠を行う場合には、前面扉１５の表面側からキー操作によりシリンダ錠３４を解錠方向に動作させる。これにより、可動錠板３７がバネ力に抗して下限位置（施錠位置）から押上げられて、上下の鉤爪５１が爪用バネのバネ力に抗して下方に回動（図８において左回動）し、鉤爪５１と爪受け金具５３との係合が解除される。
さらに、ラチェット機構４３の爪部材４５（横レバー部４５ｙ）が可動錠板３７によって押上げられ、横レバー部４５ｙの爪本体４５ｋが非対称歯車４４から外れ、平歯車４９の解錠方向（右方向）の回転が許容される。
これにより、前面扉１５の解錠が行われる。
このように、平歯車４９とラチェット機構４３、及びガイドブロック２５等からなる施錠機構と、鉤爪５１と爪受け金具５３とからなる施錠機構とが組み合わされるため、施錠装置の信頼性が向上する。
即ち、爪受け金具５３が発明の爪受け部材に相当する。
【００３５】
＜変更例＞
ここで、本発明は上記実施形態に限定されるものではなく、本発明の要旨を逸脱しない範囲における変更が可能である。例えば、本実施形態では、車状回転体として平歯車４９を例示し、回転体受け部材２４（ガイドブロック２５）のガイド面２５ｆに平歯２５ｅを形成する例を示した。
しかし、平歯車４９の代わりに外周面の摩擦係数が大きな車状回転体を使用し、ガイドブロック２５のガイド面２５ｆの平歯２５ｅの代わりに、そのガイド面２５ｆの摩擦係数を大きくして、車状回転体と前記ガイド面２５ｆとが接線方向に係合する構成でも可能である。
また、前記ガイド面２５ｆを傾斜面とその傾斜面に連続する平面とから構成する例を示したが、前記平面の代わりに円弧状の凹面にし、車状回転体が施錠位置でその凹面に嵌り込むようにすることも可能である。
さらに、本実施形態では、スロットマシン１０の前面扉１５側に平歯車４９、ラチェット機構４３、非対称歯車４４等を取付け、本体ケース１２側にガイドブロック２５等を取付ける例を示した。しかし、スロットマシン１０の前面扉１５側にガイドブロック２５等を取付け、本体ケース１２側に平歯車４９、ラチェット機構４３、非対称歯車４４等を取付けることも可能である。
また、本実施形態では、車状回転体（平歯車４９）とガイドブロック２５のガイド面２５ｆとを縦向きに形成する例を示したが、車状回転体（平歯車４９）とガイドブロック２５のガイド面２５ｆとを横向きに形成することも可能である。
また、本実施形態では、スロットマシン１０の前面扉１５の施錠装置２０，５０に本発明を適用する例を示したが、例えば、パチンコ機のガラス枠、あるいは遊技盤等が装着される表枠の施錠に本発明を適用することも可能である。
【符号の説明】
【００３６】
１０・・・・・スロットマシン（遊技機）
１２ｈ・・・・前面開口
１２・・・・・本体ケース
１５・・・・・前面扉（扉状部材）
２０・・・・・施錠装置
２４・・・・・回転体受け部材
２５・・・・・ガイドブロック
２５ｆ・・・・ガイド面
２５ｅ・・・・平歯
４３・・・・・ラチェット機構（逆転禁止機構）
４９・・・・・平歯車（車状回転体）
４９ｅ・・・・歯
５１・・・・・鉤爪
５３・・・・・爪受け金具（爪受け部材）
【図１】
2013192768.tif 000003
【図２】
2013192768.tif 000004
【図３】
2013192768.tif 000005
【図４】
2013192768.tif 000006
【図５】
2013192768.tif 000007
【図６】
2013192768.tif 000008
【図７】
2013192768.tif 000009
【図８】
2013192768.tif 000010
【図９】
2013192768.tif 000011
【図１０】
2013192768.tif 000012